(57)【特許請求の範囲】
【請求項１】
車両用蓄電池に蓄えられた電力で走行する車両と、
接続された前記車両の車両用蓄電池を系統電力及び太陽光発電を含む電力源から供給された電力で充電可能であると共に前記車両用蓄電池に蓄えられた電力を取得可能な充給電手段、並びに前記充給電手段に接続された前記車両の車両用蓄電池に蓄えられた電力、電力の使用量及び前記充給電手段と前記充給電手段に接続された前記車両との間の電流を把握すると共に前記車両の使用スケジュール及び目標消費電力を入力可能な制御端末を有する住宅と、
前記住宅を複数戸有する地域において、前記住宅の各々の制御端末との通信を可能にする通信網と、
前記地域において、前記住宅の各々を接続する地域内電力線と、
系統電力及び太陽光発電を含む電力源から供給された電力を蓄え、該蓄えた電力を、複数の住宅からなる地域の各戸に供給可能な地域蓄電池と、
前記通信網を介して前記住宅の各々の制御端末と通信可能であり、前記通信網を介して前記住宅の各々の電力の使用量、前記住宅の各々の充給電手段に接続された前記車両の車両用蓄電池に蓄えられた電力、前記住宅の各々の充給電手段と該充給電手段に接続された前記車両との間の電流、並びに前記車両の各々の使用スケジュールを把握すると共に、前記複数戸の住宅のいずれかの電力の使用量が該住宅の目標消費電力を超えた場合に、前記地域蓄電池が蓄えた電力を前記地域内電力線を介して前記地域の前記住宅に供給させ、前記複数戸の住宅の電力の使用により前記地域蓄電池が蓄えた電力が消耗した場合に、前記住宅の各々の充給電手段に接続された前記車両のうち前記使用スケジュールにおいて使用予定ではない車両の車両用蓄電池に蓄えられた電力を取得するように該使用予定ではない車両及び該車両を接続した充給電手段を、該充給電手段を有する住宅の制御端末を介して制御し、該取得した電力を前記地域内電力線を介して前記地域の前記住宅に供給させる制御手段と、
を備えた地域内電力の相互融通システム。
【請求項２】
前記住宅の各々の前記充給電手段に接続された前記車両のうち前記使用スケジュールにおいて使用予定ではない車両の車両用蓄電池に蓄えられた電力と、前記地域蓄電池が蓄えた電力と、前記太陽光発電による電力の合計を、前記住宅の各々に供給可能な電力とすると共に、該供給可能な電力から前記住宅の各々における目標消費電力を減算することにより、前記地域の余剰電力を算出し、前記住宅の各々に供給可能な電力及び前記地域の余剰電力を前記住宅の各々の制御端末に表示させる請求項１に記載の地域電力の相互融通システム。
【請求項３】
前記制御手段は、前記住宅の各々の電力使用量の合計が、前記住宅の各々の前記充給電手段に接続された前記車両のうち前記使用スケジュールにおいて使用予定ではない車両の車両用蓄電池に蓄えられた電力と、前記地域蓄電池が蓄えた電力と、前記太陽光発電による電力との合計を上回る場合、前記制御端末に前記車両のエンジンを作動させて発電することを要する旨を表示させる請求項２に記載の地域電力の相互融通システム。
【請求項４】
前記制御手段は、前記使用スケジュールにおいて使用予定となっている車両の車両用蓄電池が蓄えた電力を取得するように該車両及び該車両を接続する充給電手段を、該充給電手段を有する住宅の制御端末を介して制御すると共に、該取得した電力で前記地域蓄電池を充電する請求項１〜３のいずれか１項に記載の地域電力の相互融通システム。
【請求項５】
前記地域蓄電池は、前記住宅の各々に分散して備えられ、前記制御手段は、前記住宅の各々に備えられた前記地域蓄電池を制御する請求項１〜４の何れか１項に記載の地域電力の相互融通システム。
【請求項６】
前記制御手段は、前記複数戸の住宅のいずれかの電力の使用量が該住宅の目標消費電力を超えた場合に、該住宅の充給電手段に接続された車両の電力を優先的に該住宅に供給するように制御し、次いで該住宅から最遠の住宅の充給電手段に接続された車両の車両用蓄電池に蓄えられた電力を該住宅に供給するように制御し、続いて該住宅と該住宅から最遠の住宅との中間位置にある住宅の充給電手段に接続された車両の車両用蓄電池に蓄えられた電力を該住宅に供給するように制御する請求項１〜５のいずれか１項に記載の地域電力の相互融通システム。
【請求項７】
前記制御手段は、太陽光発電が可能な住宅の充給電手段に接続された車両の車両用蓄電池に蓄えられた電力を前記住宅の各々の電力の使用量に応じて前記地域内電力線を介して前記地域の前記住宅に優先的に供給させるように前記太陽光発電が可能な住宅の充給電手段を、該充給電手段を有する住宅の制御端末を介して制御する請求項１に記載の地域電力の相互融通システム。
【請求項８】
前記制御手段は、 前記住宅の各々に分散して備えられた地域蓄電池のうち、蓄えられている電力が多い地域蓄電池の電力を優先的に使用するようにする請求項５に記載の地域電力の相互融通システム。
【発明の詳細な説明】
【技術分野】
【０００１】
本発明は、複数戸の住宅からなる地域において複数戸の住宅で相互に地域内の電力を融通するシステムにかかり、特に、各住宅と電気的に接続された車両からの電力供給を考慮した、地域内電力の相互融通システムに関する。
【背景技術】
【０００２】
以前から、地域内で使用可能な電力を、当該地域内の住宅で共用するシステム又は方法が提案されている。
【０００３】
例えば、特許文献１に記載の技術では、地域内の各住宅に電力を分配するローカル電力分配ネットワークを備え、ローカル電力分配ネットワークに接続されている車両の再充電をスケジュールに従って実行することが提案されている。
【先行技術文献】
【特許文献】
【０００４】
【特許文献１】特表２０１０−５３９８６６号公報
【発明の概要】
【発明が解決しようとする課題】
【０００５】
しかしながら、特許文献１に記載の技術は、近年普及しつつあるＥＶ（Electric Vehicle）、ＨＶ（Hybrid Vehicle）及びＰＨＶ（Plug-in Hybrid Vehicle）を電源として使用する場合が考慮されておらず、特に発電能力を有するＨＶ及びＰＨＶのポテンシャルを十分に活用できていなかった。
【０００６】
本発明は、上記事実を考慮して成されたもので、各住宅の設備と電気的に接続された車両からの電力供給を考慮した、地域内電力の相互融通システムを提供することを目的とする。
【課題を解決するための手段】
【０００７】
上記目的を達成するために請求項１に記載の発明は、車両用蓄電池に蓄えられた電力で走行する車両と、接続された前記車両の車両用蓄電池を系統電力及び太陽光発電を含む電力源から供給された電力で充電可能であると共に前記車両用蓄電池に蓄えられた電力を取得可能な充給電手段、並びに前記充給電手段に接続された前記車両の車両用蓄電池に蓄えられた電力、電力の使用量及び前記充給電手段と前記充給電手段に接続された前記車両との間の電流を把握すると共に前記車両の使用スケジュール及び目標消費電力を入力可能な制御端末を有する住宅と、前記住宅を複数戸有する地域において、前記住宅の各々の制御端末との通信を可能にする通信網と、前記地域において、前記住宅の各々を接続する地域内電力線と、系統電力及び太陽光発電を含む電力源から供給された電力を蓄え、該蓄えた電力を、複数の住宅からなる地域の各戸に供給可能な地域蓄電池と、前記通信網を介して前記住宅の各々の制御端末と通信可能であり、前記通信網を介して前記住宅の各々の電力の使用量、前記住宅の各々の充給電手段に接続された前記車両の車両用蓄電池に蓄えられた電力、前記住宅の各々の充給電手段と該充給電手段に接続された前記車両との間の電流、並びに前記車両の各々の使用スケジュールを把握すると共に、前記複数戸の住宅のいずれかの電力の使用量が該住宅の目標消費電力を超えた場合に、前記地域蓄電池が蓄えた電力を前記地域内電力線を介して前記地域の前記住宅に供給させ、前記複数戸の住宅の電力の使用により前記地域蓄電池が蓄えた電力が消耗した場合に、前記住宅の各々の充給電手段に接続された前記車両のうち前記使用スケジュールにおいて使用予定ではない車両の車両用蓄電池に蓄えられた電力を取得するように該使用予定ではない車両及び該車両を接続した充給電手段を、該充給電手段を有する住宅の制御端末を介して制御し、該取得した電力を前記地域内電力線を介して前記地域の前記住宅に供給させる制御手段と、を備えることを特徴としている。
【０００８】
請求項１に記載の発明によれば、車両は、車両用蓄電池を動力源とするＥＶ、ＨＶ又はＰＨＶであり、特に、発電能力を有するＨＶ又はＰＨＶが好ましい。
【０００９】
充給電手段は、分電盤と車両とを電気的に接続する。かかる接続により、車両の蓄電池を系統電力、太陽光発電、又は燃料電池若しくはガスエンジン等によるコジェネレータから供給された電力で充電可能であると共に、車両の電力を分電盤に供給することも可能である。
【００１０】
制御端末は、ＨＥＭＳ（Home Energy Management System）であって、充給電手段に接続された車両の車両用蓄電池に蓄えられた電力、住宅の電力の使用量及び充給電手段と充給電手段に接続された車両との間の電流を把握すると共に車両の使用スケジュールを入力することができる。
【００１１】
制御端末は、充給電手段と車両との間の電流を把握することで、充給電手段から車両に電力が供給されているのか、車両から充給電手段へ電力が供給されているのかを判定することも可能である。
【００１２】
通信網は、いわゆるLＡＮ（Local Area Network）であり、当該通信網に接続された端末又は機器が相互に通信可能である。
【００１３】
地域内電力線は、地域内で使用可能な電力を各住宅で相互に融通するための送電線である。
【００１４】
制御手段は、地域内で使用可能な電力を集中的に制御する装置であり、通信網を介して各住宅の電力の使用量、各住宅の充給電手段に接続された車両の車両用蓄電池に蓄えられた電力、各住宅の電力の使用量、各住宅の充給電手段と当該充給電手段に接続された車両との間の電流、並びに車両の各々の使用スケジュールを把握することができる。
【００１５】
その結果、制御手段は、各住宅の充給電手段に接続された車両のうち使用スケジュールにおいて使用予定ではない車両の車両用蓄電池に蓄えられた電力を取得するように当該使用予定ではない車両及び該車両を接続した充給電手段を、当該充給電手段を有する住宅の制御端末を介して制御し、取得した電力を、地域内電力線を介して前記地域の前記住宅に供給させる
【００１９】
また、地域内の余剰電力を蓄積する地域蓄電池を備え、いずれかの住宅の電力使用量が目標消費電力を超えた場合に、地域蓄電池の電力を地域内の住宅に供給すると共に、地域蓄電池が蓄えた電力が消耗した場合には、地域内の車両の電力を地域内の住宅に供給することができる。
【００２０】
また、請求項２に記載の発明のように、前記住宅の各々の前記充給電手段に接続された前記車両のうち前記使用スケジュールにおいて使用予定ではない車両の車両用蓄電池に蓄えられた電力と、前記地域蓄電池が蓄えた電力と、前記太陽光発電による電力の合計を、前記住宅の各々に供給可能な電力とすると共に、該供給可能な電力から前記住宅の各々における目標消費電力を減算することにより、前記地域の余剰電力を算出し、前記住宅の各々に供給可能な電力及び前記地域の余剰電力を前記住宅の各々の制御端末に表示させるようにしてもよい。
【００２１】
請求項２に記載の発明によれば、各住宅に供給可能な電力と、地域の余剰電力を、各住宅の制御端末に表示することができる。
【００２２】
また、請求項３に記載の発明のように、前記制御手段は、前記住宅の各々の電力使用量の合計が、前記住宅の各々の前記充給電手段に接続された前記車両のうち前記使用スケジュールにおいて使用予定ではない車両の車両用蓄電池に蓄えられた電力と、前記地域蓄電池が蓄えた電力と、前記太陽光発電による電力との合計を上回る場合、前記制御端末に前記車両のエンジンを作動させて発電することを要する旨を表示させるようにしてもよい。
【００２３】
請求項３に記載の発明によれば、使用電力の合計が、地域で使用可能な電力を上回る場合に、車両のエンジンを始動させて、必要な電力を得るように報知することができる。
【００２４】
また、請求項４に記載の発明のように、前記制御手段は、前記使用スケジュールにおいて使用予定となっている車両の車両用蓄電池が蓄えた電力を取得するように該車両を接続する充給電手段を、該充給電手段を有する住宅の制御端末を介して制御すると共に、該取得した電力で前記地域蓄電池を充電してもよい。
【００２５】
請求項４に記載の発明によれば、車両用蓄電池の電力で地域蓄電池を充電することができる。
【００２６】
また、請求項５に記載の発明のように、前記地域蓄電池は、前記住宅の各々に分散して備えられ、前記制御手段は、前記住宅の各々に備えられた前記地域蓄電池を制御してもよい。これによって、地域蓄電池が冗長化され、ひとつの地域蓄電池が使用不能になっても、他の地域蓄電池を使用することができる。
【００２７】
また、請求項６に記載の発明のように、前記制御手段は、前記複数戸の住宅のいずれかの電力の使用量が該住宅の目標消費電力を超えた場合に、該住宅の充給電手段に接続された車両の電力を優先的に該住宅に供給するように制御し、次いで該住宅から最遠の住宅の充給電手段に接続された車両の車両用蓄電池に蓄えられた電力を該住宅に供給するように制御し、続いて該住宅と該住宅から最遠の住宅との中間位置にある住宅の充給電手段に接続された車両の車両用蓄電池に蓄えられた電力を該住宅に供給するように制御してもよい。
【００２８】
請求項６の発明によれば、地域内の住宅のうち、電力の使用量が目標消費電力を超えた住宅に対して、車両の電力を優先的に供給することができる。
【００２９】
また、請求項７に記載の発明のように、前記制御手段は、太陽光発電が可能な住宅の充給電手段に接続された車両の車両用蓄電池に蓄えられた電力を前記住宅の各々の電力の使用量に応じて前記地域内電力線を介して前記地域の前記住宅に優先的に供給させるように前記太陽光発電が可能な住宅の充給電手段を、該充給電手段を有する住宅の制御端末を介して制御してもよい。これによって、太陽光発電が可能な住宅から電力を優先的に供給することができる。
【００３０】
また、請求項８に記載の発明のように、前記制御手段は、 前記住宅の各々に分散して備えられた地域蓄電池のうち、蓄えられている電力が多い地域蓄電池の電力を優先的に使用するようにしてもよい。これによって、余剰電力を効果的に活用することができる。
【発明の効果】
【００３１】
以上説明したように本発明によれば、各住宅の設備と電気的に接続された車両からの電力供給を考慮した、地域内電力の相互融通システムを提供することができる、という効果がある。
【図面の簡単な説明】
【００３２】
【図１】本発明の第１の実施の形態に係る地域内電力の相互融通システムの一例を示す概略図である。
【図２】非接触型の車両連結部の一例を示す図である。
【図３】本発明の第１の実施の形態に係る地域内電力の相互融通システムに含まれるＨＥＭＳの概略構成を示すブロック図である。
【図４】本発明の第１の実施の形態に係る地域内電力の相互融通システムにおける制御装置の処理のフローチャートである。
【図５】本発明の第１の実施の形態に係る各車両の使用スケジュールの一例を示す図である。
【図６】本発明の第２の実施の形態に係る地域内電力の相互融通システムの一例を示す概略図である。
【図７】本発明の第２の実施の形態に係る地域内電力の相互融通システムにおける制御装置の処理のフローチャートである。
【発明を実施するための形態】
【００３３】
［第１の実施の形態］
以下、図面を参照して本発明の第１の実施の形態を詳細に説明する。図１は、本実施の形態に係る地域内電力の相互融通システム１００の概略構成を示すブロック図である。
【００３４】
本実施の形態に係る地域内電力の相互融通システム１００は、系統電力１２から供給された電力を地域変圧器６２で受け、地域変圧器６２は、系統電力１２から供給された電力を地域内電力線６４での送電に適した電圧及び電流に変換する。
【００３５】
地域内電力線６４での電圧及び電流には、三相３線式２００Ｖ、単相２線式２００Ｖ又は単相２線式１００Ｖ等が考えられる。
【００３６】
地域内電力線６４は、図１では区間開閉器６６を有した環状方式としたが、樹枝状方式、低圧バンキング方式又はレギュラーネットワーク方式であってもよい。
【００３７】
地域内の住宅１０Ａ、１０Ｂ及び１０Ｃは、各々分電盤１４が地域内電力線６４に接続されている。
【００３８】
また、本実施の形態に係る地域内電力の相互融通システム１００は、地域内の住宅１０Ａ、１０Ｂ及び１０Ｃを結ぶネットワーク７２を有し、ネットワーク７２及び地域内電力線６４には、本実施の形態に係る地域内電力の相互融通システム１００を制御する制御装置８２が接続されている。
【００３９】
地域内の住宅１０Ａ、１０Ｂ及び１０Ｃは、各々ＥＶ、ＨＶ又はＰＨＶ等の車両１８Ａ、１８Ｂ及び１８Ｃが接続可能に構成されている。以下、住宅１０Ａ、１０Ｂ及び１０Ｃ、並びに車両１８Ａ、１８Ｂ及び１８Ｃの構成について説明するが、住宅１０Ａ、１０Ｂ及び１０Ｃの各々の構成、並びに車両１８Ａ、１８Ｂ及び１８Ｃの各々の構成は、いずれも同じなので、同一の符号によって説明する。
【００４０】
まず、前述のように、住宅１０Ａ、１０Ｂ及び１０Ｃには、地域変圧器６２及び地域内電力線６４を介して電力会社から供給される系統電力１２が接続される分電盤１４が設けられており、系統電力１２からの電力が分電盤１４を介して住宅１０Ａ、１０Ｂ及び１０Ｃ内に供給されるようになっている。
【００４１】
分電盤１４には、複数の電力供給先として、住宅１０Ａ、１０Ｂ及び１０Ｃに設けられた家電機器２０及び住設機器２２等が接続されており、系統電力１２からの電力が供給される。
【００４２】
さらに住宅１０Ａ、１０Ｂ及び１０Ｃは、太陽電池パネル１６を備えていてもよい。
【００４３】
また、分電盤１４に車両連結部２６を介して接続された車両１８Ａ、１８Ｂ及び１８Ｃの車両用蓄電池２８を充電することが可能であり、その逆に、車両用蓄電池２８から分電盤１４に電力を供給することも可能である。
【００４４】
車両用蓄電池から取り出される電力は直流であるが、各車両が備えるインバータ（図示せず）によって、単相２線式１００Ｖで５０Ｈｚ又は６０Ｈｚの交流に変換して、後述する車両連結部２６を介して、分電盤１４へ供給する。
【００４５】
車両連結部２６は、ケーブルによって車両と接続されることにより、分電盤１４と車両とを電気的に接続するコネクタである。当該コネクタは、分電盤１４からの電力を車両に供給する又は車両の電力が分電盤１４に供給するための電力線の端子と、建物内のエネルギーの管理や制御を行うＨＥＭＳ３０と車両との通信に係る情報線の端子を有してもよい。
【００４６】
車両連結部２６は、ＨＥＭＳ３０の制御によって車両へ電力の供給を行い、車両蓄電池２９を充電する。また、車両連結部２６は、ＨＥＭＳ３０の制御に従って、車両用蓄電池が放電したことによる電力を、分電盤１４に供給する。
【００４７】
また、ＨＥＭＳ３０は、車両連結部２６と車両連結部２６に接続されている車両との間の電流をモニターして、車両連結部２６を介して車両用蓄電池２８が充電されているか、又は車両用蓄電２８の放電により、車両の電力が分電盤１４に供給されているかを把握している。
【００４８】
制御装置８２は、ＨＥＭＳ３０が把握した車両連結部２６と車両連結部２６に接続されている車両との間の電流の状況をネットワーク７２を介して取得する。
【００４９】
なお、ＨＥＭＳ３０と車両との通信は、情報線ではなく、電力線を用いる、いわゆる電力線搬送通信であってもよい。
【００５０】
また、図１の場合とは別に、非接触で電気的に接続して電力供給し充電を行うものを適用するようにしてもよい。
【００５１】
非接触型の例としては、例えば、図２に示すように、車両の駐車スペース等にコイルを備えた送電受電回路５６を備えて分電盤１４と接続し、車両側にもコイルを備えた送電受電回路５８を備えて車両用蓄電池２８と接続する。
【００５２】
車両用蓄電池２８を充電する際には、駐車スペース側の送電受電回路へ分電盤１４から電力を供給してコイルに通電することにより、電磁誘導作用により車両側のコイルへ電力を供給して送電受電回路５８を介して車両用蓄電池２８を充電することができる。
【００５３】
また、車両用蓄電池２８から電力を供給する際には、車両用蓄電池２８の電力を用いて車両側のコイルに通電することにより、電磁誘導作用により駐車スペース側のコイルへ電力を供給して送電受電回路５６を介して分電盤１４へ電力を供給することができる。
【００５４】
さらに、分電盤１４には、ＨＥＭＳ３０が接続されている。ＨＥＭＳ３０は分電盤１４を制御することにより、系統電力１２及び車両用蓄電池２８の電力を住宅１０Ａ、１０Ｂ及び１０Ｃへ供給するための制御、又は車両用蓄電池２８を充電するための電力の制御を行うと共に、制御装置８２からの指令により、各車両の車両用蓄電池２８に蓄えられた電力を、車両連結部２６及び分電盤１４を介して、地域内電力線６４に供給させることができる。分電盤１４は、各車両から供給された電力を、前述の三相３線式２００Ｖ等の、地域内電力線６４で送電される電圧及び電流に変換する機能を有していてもよい。
【００５５】
また、ＨＥＭＳ３０は、各車両の使用スケジュールを入力することができ、制御装置８２は、ＨＥＭＳ３０に入力された各車両の使用スケジュールを、ネットワーク７２を介して取得する。
【００５６】
さらにＨＥＭＳ３０は、住宅１０Ａ、１０Ｂ及び１０Ｃにおける電力の使用量の限界値に相当する目標消費電力を入力可能であり、制御装置８２は、住宅１０Ａ、１０Ｂ及び１０Ｃのいずれかでの消費電力が当該住宅での目標消費電力を超えた場合に、車両１８Ａ、１８Ｂ及び１８Ｃのうち、使用予定ではない車両の車両用蓄電池２８に蓄えられた電力を取得するように当該車両及び当該車両を接続する車両連結部２６を制御し、かつ取得した電力を、分電盤１４から地域内電力線６４を介して各住宅に供給できる。
【００５７】
図３は、本発明の実施の形態に係る地域内電力の相互融通システム１００に含まれるＨＥＭＳ３０の概略構成を示すブロック図である。
【００５８】
ＨＥＭＳ３０は、コンピュータを含んで構成されており、図３に示すように、ＣＰＵ３６、ＲＯＭ３８、ＲＡＭ４０、及び入出力ポート４２を備えて、これらがアドレスバス、データバス、及び制御バス等のバス４４を介して互いに接続されている。
【００５９】
入出力ポート４２には、各種入出力機器として、表示部４６、操作部４８、及びメモリ５０が接続されている。なお、表示部４６及び操作部４８は一体で構成され、操作部４８は、表示部４６に設けられたタッチパネルを適用することができる。
【００６０】
メモリ５０には、上述した住宅１０Ａ、１０Ｂ及び１０Ｃへ供給する電力の制御を行うプログラム、家電機器２０及び住設機器２２等の制御を行うためのプログラム、契約アンペア値の範囲内で目標消費電力を任意に設定するためのプログラム、車両用蓄電池２８の充放電を行うためのプログラム並びにこれらのプログラムを実行するための各種情報等が記憶されている。
【００６１】
ＨＥＭＳ３０は、メモリ５０に記憶されたプログラムをＲＡＭ４０等に展開してＣＰＵ３６で実行することにより、住宅１０Ａ、１０Ｂ及び１０Ｃへ供給する電力の制御等の各種制御を行うようになっている。
【００６２】
さらに、入出力ポート４２には、ＰＨＶ、ＨＶ及びＥＶが備える車両無線通信部３４と無線通信を行う無線通信部３２、分電盤１４、車両連結部２６及びネットワークに接続されるネットワークインターフェース５２等が接続されている。
【００６３】
また、本実施の形態では、無線通信部３２が、住宅１０Ａ、１０Ｂ及び１０Ｃの駐車スペースに入庫した車両の車両無線通信部３４から送信された車両を識別する型式等の情報を受信し、ＨＥＭＳ３０は、無線通信部３２が受信した情報に基づいて、入庫した車両がＰＨＶ若しくはＨＶであるか又はＥＶであるかを判定するようにしてもよい。
【００６４】
入庫した車両を識別する情報の取得は、無線通信部３２及び車両無線通信部３４による無線通信以外にも、図１に示したように、車両を電気的に接続することで、情報線による通信又は電力線搬送通信によって、型式等の車両を識別する情報をＨＥＭＳ３０が取得することも可能である。
【００６５】
続いて、本実施の形態に係る地域内電力の相互融通システム１００で行われる処理の概略について説明する。
【００６６】
図４は、本発明の実施の形態に係る地域内電力の相互融通システムにおける制御装置８２のフローチャートである。
【００６７】
図４のステップ４００で、制御装置８２は、各住宅の電力使用量、各住宅の目標消費電力、各車両の蓄電量、各住宅と各車両との充給電の状態及び各車両の使用スケジュールを、ネットワーク７２を介して、各住宅のＨＥＭＳ３０から取得する。
【００６８】
各車両の使用スケジュールは、例えば、図５のようなものである。図５は、本実施の形態に係る各車両の使用スケジュールの一例を示す図であって、車両を使用する年月日時が各車両について記載されている。
【００６９】
ステップ４０２では、電力使用量が目標消費電力を超えた住宅はあるか否かを判定し、電力使用量が目標消費電力を超えた住宅はある場合は、ステップ４０４に移行する。
【００７０】
ステップ４０４では、各車両の使用スケジュール及び各車両の車両用蓄電池２８に蓄えられた電力からみて、地域内への電力供給に使用可能な車両があるか否かを判定し、使用可能な車両がある場合は、ステップ４０６に移行する。
【００７１】
ステップ４０６では、使用可能な車両を車両連結部２６を介して接続しているＨＥＭＳ３０に対して、当該車両の車両用蓄電池２８の放電を実行するように指令する。当該指令を受けたＨＥＭＳ３０は、当該車両及び当該車両を接続した車両連結部２６を制御して、当該車両の車両用蓄電池２６に蓄えられた電力を取得する。
【００７２】
ステップ４０８では、車両用蓄電池２８の放電によって取得した電力を、分電盤１４を介して地域内電力線６４に供給するようにＨＥＭＳ３０に指令する。
【００７３】
ステップ４１０では、車両から供給される電力が限界に達して電力が不足するおそれがあるか否かを判定する。
【００７４】
車両から供給される電力は、車両のエンジンを作動させていない場合は、車両用蓄電池２８に残存する電力による。車両用蓄電池２８に残存する電力を計測する方法は種々考えられるが、一般的には、車両用蓄電池２８の電圧値による。
【００７５】
ステップ４１０では、車両用蓄電池２８の電圧値が所定の値を下回った場合に、車両用蓄電池２８に残存する電力が払底しつつある状態と判断し、エンジンを始動していない車両から供給される電力が限界に達するおそれがあると判定してよい。
【００７６】
なお、本実施の形態では、車両用蓄電池２８の電圧値は、車両が接続されている車両連結部２６を介して、ＨＥＭＳ３０で計測可能である。
【００７７】
ステップ４１０において、エンジンを始動していない車両から供給される電力が限界に達するおそれがあると判定された場合は、ステップ４１２において、車両のエンジンを始動させる。車両のエンジンは、情報線による通信、電力線搬送通信又は無線通信によって、ＨＥＭＳ３０で制御されることによって始動可能である。
【００７８】
ステップ４１４では、車両の燃料が所定量未満か否かを判定する。所定量は車両によって異なるが、一例として、５リットル程度であることが考えられる。
【００７９】
車両の燃料が所定量未満となった場合は、ステップ４１６で車両のエンジンを停止し、ステップ４１８で、他に使用可能な車両があるか否かを判定し、使用可能な車両がある場合は、手順をステップ４０６に移行させ、使用可能な車両がない場合には、一連の処理を終了する。
【００８０】
以上のように、本実施の形態では、ある住宅の電力使用量が目標消費電力を超えた場合に、車両用蓄電池に蓄えられている電力、さらには車両のエンジンを始動することによって得た電力を地域内に供給することができるので、系統電力のみならず車両の電力も活用した電力供給が可能となる。
【００８１】
従って、本実施の形態によれば、各住宅の設備と電気的に接続された車両からの電力供給を考慮した、地域内電力の相互融通システムを提供することができる。
【００８２】
本実施の形態では、ステップ４１０において、エンジンを始動していない車両から供給される電力が限界に達するおそれがある場合に、ステップ４１２において車両のエンジンを始動した。
【００８３】
しかしながら、車両のエンジンを作動させていない場合は、エンジンを始動させ車両が発電した電力を使用すべき旨をＨＥＭＳ３０の表示部４６に表示するようにしてもよい。
【００８４】
また、制御装置８２は、複数戸の住宅のいずれかの電力の使用量が、当該住宅の目標消費電力を超えた場合に、当該住宅の車両連結部２６に接続された車両の電力を優先的に当該住宅に供給するように制御し、次いで当該住宅から最遠の住宅の車両連結部２６に接続された車両の車両用蓄電池２８に蓄えられた電力を当該住宅に供給するように制御し、続いて該住宅と該住宅から最遠の住宅との中間位置にある住宅の車両連結部２６に接続された車両の車両用蓄電池２８に蓄えられた電力を該住宅に供給するように制御してもよい。
【００８５】
［第２の実施の形態］
続いて、本発明の第２の実施の形態について説明する。図６は、本発明の第２の実施の形態に係る地域内電力の相互融通システム１０２の一例を示す概略図である。
【００８６】
図６に示したように、本実施の形態は、地域蓄電池９２を有する他は、第１の実施の形態と同じであり、第１の実施の形態と同様の構成については、同一の符号を使用し、かつ説明を省略する。
【００８７】
地域蓄電池９２は、系統電力１２及び太陽光発電を含む電力源から供給された電力を蓄え、蓄えた電力を、地域内の各住宅に供給可能な二次電池である。二次電池の種類としては、鉛蓄電池、ニッケル水素電池又はリチウムイオン電池等が考えられるが、これら以外にも、充放電が可能な二次電池を使用することができる。
【００８８】
地域蓄電池９２は、起電力が１〜数Ｖ程度のセルを直列に組み合わせて形成された起電力が例えば１２Ｖ程度の蓄電池のモジュールを、さらに直列及び並列に組み合わせた蓄電池のモジュールの集合体であって、系統電力１２に匹敵するだけの電圧及び電流を生じ得るように構成されている。
【００８９】
地域蓄電池９２の電圧は、一例として、１４０〜１５０Ｖ程度であり、電流は、設置される地域の規模に応じて様々な値をとり得る。
【００９０】
また、地域蓄電池９２は、系統電力１２からの交流を蓄電池のモジュールの集合体の充電に適した電圧の直流に変換可能であると共に、蓄電池のモジュールの集合体が放電した直流を、地域内電力線６４での送電に適した、例えば、三相３線式２００Ｖ、単相２線式２００Ｖ又は単相２線式１００Ｖ等に変換可能なインバータ（図示せず）を備えている。
【００９１】
さらに、地域蓄電池９２は、蓄電池のモジュールの集合体の充放電を制御する充放電制御回路（図示せず）を備え、前述のインバータと共に、制御装置８２によって制御される。
【００９２】
制御装置８２は、地域蓄電池９２の電圧をモニターすると共に、地域内の電力に余裕がある場合に、地域蓄電池９２を充電するように制御し、各住宅の電力の使用量が目標消費電力を上回るような場合には、地域蓄電池９２に蓄えられた電力を地域内に供給するようにする。
【００９３】
続いて、本実施の形態に係る地域内電力の相互融通システム１００で行われる処理の概略について説明する。
【００９４】
図４は、本実施の形態に係る地域内電力の相互融通システムにおける制御装置８２のフローチャートである。図７は、ステップ７０２及びステップ７０４を有する点で、前述の第１の実施の形態に係る図４とは相違している。
【００９５】
以下、図４との相違点について詳述し、図４と共通する部分については説明を省略する。
【００９６】
まず、図４における第１の実施の形態と同様に、ステップ４０２では、電力使用量が目標消費電力を超えた住宅があるか否かを判定する。
【００９７】
ステップ４０２において、電力使用量が目標消費電力を超えた住宅はある場合は、ステップ７０２で地域蓄電池９２を放電し、放電によって得た電力を地域内に供給する。
【００９８】
続くステップ７０４では、各住宅の電力の使用によって、地域蓄電池９２から供給される電力が限界に達して電力が不足するおそれがあるか否かを判定する。
【００９９】
地域蓄電池９２に蓄えられた電力を計測する方法は種々考えられるが、一般的には、地域蓄電池９２の電圧値による。
【０１００】
ステップ７０４では、地域蓄電池９２の電圧値が所定の値を下回った場合に、地域蓄電池９２に蓄えられた電力が払底しつつある状態と判定してよい。
【０１０１】
ステップ７０４において、地域蓄電池９２に蓄えられた電力が払底しつつあると判定された場合は、手順は、図４にも記載されているステップ４０４に移行する。
【０１０２】
ステップ４０４では、各車両の使用スケジュール及び各車両の車両用蓄電池に蓄えられた電力からみて、地域内への電力供給に使用可能な車両があるか否かを判定し、以後は、図４と同様の手順によって、車両用蓄電池２８の電力を地域内に供給するようにすると共に、必要に応じて車両のエンジンを始動して必要な電力を賄うようにする。
【０１０３】
また、本実施の形態では、ステップ４１０において、エンジンを始動していない車両から供給される電力が限界に達するおそれがある場合に、ステップ４１２において車両のエンジンを始動する。
【０１０４】
しかしながら、車両のエンジンを作動させていない場合に、各住宅の電力の使用量が、車両用蓄電池２８に蓄えられた電力と、地域蓄電池９２が蓄えた電力と、さらには太陽光発電による電力との合計を上回る場合は、エンジンを始動させ車両が発電した電力を使用すべき旨をＨＥＭＳ３０の表示部４６に表示するようにしてもよい。
【０１０５】
以上のように、本実施の形態によれば、地域内の余剰電力を地域内電力線に接続された地域蓄電池９２に蓄え、地域蓄電池９２に蓄えた電力を使用すると共に、地域内の各車両の電力も必要に応じて活用する地域内電力の相互融通システムを提供することができる。
【０１０６】
また、本実施の形態では、各住宅の車両連結部２６に接続された車両のうち使用予定ではない車両の車両用蓄電池に蓄えられた電力と、地域蓄電池９２が蓄えた電力と、太陽光発電による電力の合計を、各住宅に供給可能な電力とすると共に、この供給可能な電力から各住宅における目標消費電力を減算することにより、地域の余剰電力を算出し、各住宅に供給可能な電力及び地域の余剰電力を各住宅のＨＥＭＳ３０に表示させてもよい。
【０１０７】
また、本実施の形態では、使用予定になっている車両がＰＨＶ又はＨＶである場合に、当該車両が使用されるのに先立って、当該車両の車両用蓄電池２８に蓄えられている電力を放電させ、放電によって得られた電力を地域蓄電池９２に蓄えるようにしてもよい。
【０１０８】
ＰＨＶ又はＨＶは、エンジンで自走可能であるから、出掛けるに際して、車両用蓄電池２８に蓄えた電力を放電しても、走行自体は可能だからである。
【０１０９】
また、本実施の形態では、太陽光発電が可能な住宅の車両連結部２６に接続された車両の車両用蓄電池２８に蓄えられた電力を、各住宅の電力の使用量に応じて供給するようにしてもよい。
【０１１０】
さらには、地域蓄電池９２は、各住宅の各々に分散して備えられ、各住宅に分散して備えられた地域蓄電池９２のうち、蓄えられている電力が多い地域蓄電池９２の電力を優先的に使用するようにしてもよい。
【０１１１】
なお、上記の第１の実施の形態及び第２の実施の形態において、住宅３棟、車両３台の場合について説明したが、本願はこれらに限定されるものではなく、住宅の戸数及び車両の台数は、本願発明が適用される地域の規模によって様々である。
【符号の説明】
【０１１２】
１０Ａ、１０Ｂ、１０Ｃ  住宅
１２  系統電力
１４  分電盤
１６  太陽電池パネル
１８Ａ、１８Ｂ、１８Ｃ  車両
２０  家電機器
２２  住設機器
２６  車両連結部
２８  車両用蓄電池
３０  ＨＥＭＳ
３２  無線通信部
３４  車両無線通信部
３６  ＣＰＵ
３８  ＲＯＭ
４０  ＲＡＭ
４２  入出力ポート
４４  バス
４６  表示部
４８  操作部
５０  メモリ
５２  ネットワークインターフェース
５６、５８  送電受電回路
６２  地域変圧器
６４  地域内電力線
６６  区間開閉器
７２  ネットワーク
８２  制御装置
９２  地域蓄電池
１００  地域内電力の相互融通システム
１０２  地域内電力の相互融通システム
【図１】
0005860706.tif 000002
【図２】
0005860706.tif 000003
【図３】
0005860706.tif 000004
【図４】
0005860706.tif 000005
【図５】
0005860706.tif 000006
【図６】
0005860706.tif 000007
【図７】
0005860706.tif 000008